(57)【特許請求の範囲】
【請求項１】
システムユーザの操作に基づき、呼出信号および情報データを、表示手段を有する受信機に送信するための送信装置と、
前記受信機の表示手段に表示された前記情報データに基づくバーコードを読取るためのバーコード読取装置と、
該バーコード読取装置から出力された信号を受けて所定の制御信号を生成する制御端末装置と、
を備えたことを特徴とする制御システム。
【請求項２】
システムユーザの操作に基づき、呼出信号および情報データを、表示手段を有する受信機に無線通信回線を介して送信するするための送信装置と、
前記受信機の表示手段に表示された前記情報データに基づくバーコードを読取るためのバーコード読取装置と、
該バーコード読取装置から出力された信号を受けて所定の制御信号を生成する制御端末装置と、
を備えたことを特徴とする制御システム。
【請求項３】
システムユーザの操作に基づいて送信装置から送信される呼出信号及び情報データを受信するための受信手段と、表示手段とを少なくとも有し、
前記受信手段にて受信した情報データを前記表示手段にバーコード形式で表示する受信機と、
前記表示手段に表示されたバーコードを読取るためのバーコード読取装置と、
該バーコード読取装置から出力された信号を受けて所定の制御信号を生成する制御端末装置と、
を備えたことを特徴とする制御システム。
【請求項４】
システムユーザの操作に基づいて送信装置から送信される呼出信号及び情報データを受信するための受信手段と、表示手段とを少なくとも有する受信機であって、
前記受信手段にて受信した情報データをバーコード形式で前記表示手段に表示する表示制御回路を備えた受信機と、
前記表示手段に表示されたバーコードを読取るためのバーコード読取装置と、
該バーコード読取装置から出力された信号を受けて所定の制御信号を生成する制御端末装置と、
を備えたことを特徴とする制御システム。
【請求項５】
システムユーザの操作に基づいて送信装置から送信される呼出信号及び情報データを受信するための受信手段と、表示手段とを少なくとも有する受信機であって、
前記受信手段にて受信した情報データをデコードする受信デコード回路と、
該受信デコード回路によってデコードされた情報をバーコード形式で前記表示手段に表示する表示制御回路とを備えた受信機と、
前記表示手段に表示されたバーコードを読取るためのバーコード読取装置と、
該バーコード読取装置から出力された信号を受けて所定の制御信号を生成する制御端末装置と、
を備えたことを特徴とする制御システム。
【請求項６】
システムユーザの操作に基づき、呼出信号および情報データを、表示手段を有する受信機に送信するための送信装置と、
前記呼び出し信号と情報データを発信するための無線局と、
前記受信機の表示手段に表示された前記情報データに基づくバーコードを読取るためのバーコード読取装置と、
該バーコード読取装置から出力された信号を受けて所定の制御信号を生成する制御端末装置と、
を備えたことを特徴とする制御システム。
【請求項７】
システムユーザの操作に基づき、呼出信号および情報データを、表示手段を有する受信機に無線通信回線を介して送信するするための送信装置と、
前記呼び出し信号と情報データを発信するための無線局と、
前記受信機の表示手段に表示された前記情報データに基づくバーコードを読取るためのバーコード読取装置と、
該バーコード読取装置から出力された信号を受けて所定の制御信号を生成する制御端末装置と、
を備えたことを特徴とする制御システム。
【請求項８】
システムユーザの操作に基づいて送信装置から送信される呼出信号及び情報データを受信するための受信手段と、表示手段とを少なくとも有し、
前記受信手段にて受信した情報データを前記表示手段にバーコード形式で表示する受信機と、
前記呼び出し信号と情報データを発信するための無線局と、
前記表示手段に表示されたバーコードを読取るためのバーコード読取装置と、
該バーコード読取装置から出力された信号を受けて所定の制御信号を生成する制御端末装置と、
を備えたことを特徴とする制御システム。
【請求項９】
システムユーザの操作に基づいて送信装置から送信される呼出信号及び情報データを受信するための受信手段と、表示手段とを少なくとも有する受信機であって、
前記受信手段にて受信した情報データをバーコード形式で前記表示手段に表示する表示制御回路を備えた受信機と、
前記呼び出し信号と情報データを発信するための無線局と、
前記表示手段に表示されたバーコードを読取るためのバーコード読取装置と、
該バーコード読取装置から出力された信号を受けて所定の制御信号を生成する制御端末装置と、
を備えたことを特徴とする制御システム。
【請求項１０】
システムユーザの操作に基づいて送信装置から送信される呼出信号及び情報データを受信するための受信手段と、表示手段とを少なくとも有する受信機であって、
前記受信手段にて受信した情報データをデコードする受信デコード回路と、
該受信デコード回路によってデコードされた情報をバーコード形式で前記表示手段に表示する表示制御回路とを備えた受信機と、
前記呼び出し信号と情報データを発信するための無線局と、
前記表示手段に表示されたバーコードを読取るためのバーコード読取装置と、
該バーコード読取装置から出力された信号を受けて所定の制御信号を生成する制御端末装置と、
を備えたことを特徴とする制御システム。
【請求項１１】
前記送信装置は、電話回線網を介して呼び出し、前記情報データを前記受信機に送信するものであることを特徴とする請求項１乃至１０の何れかに記載の制御システム。
【請求項１２】
システムユーザの操作に基づき、呼出信号および情報データを、表示手段を有する受信機に送信する送信装置と、バーコード読取装置と、制御端末装置と、を備えたシステムを用いた制御方法であって、
前記送信装置が前記受信機に呼出信号を送信するステップと、
前記送信装置が前記受信機に情報データを送信するステップと、
前記バーコード読取装置が受信機の表示手段に表示された前記情報データに基づくバーコードを読み取るステップと、
前記制御端末装置が前記バーコード読取装置から出力された信号を受けて所定の制御信号を生成するステップと、
を含むことを特徴とする制御方法。
【請求項１３】
システムユーザの操作に基づき、呼出信号および情報データを、表示手段を有する受信機に無線通信回線を介して送信する送信装置と、バーコード読取装置と、制御端末装置と、を備えたシステムを用いた制御方法であって、
前記送信装置が前記受信機に無線通信回線を介して呼出信号を送信するステップと、
前記送信装置が前記受信機に無線通信回線を介して情報データを送信するステップと、
前記バーコード読取装置が受信機の表示手段に表示された前記情報データに基づくバーコードを読み取るステップと、
前記制御端末装置が前記バーコード読取装置から出力された信号を受けて所定の制御信号を生成するステップと、
を含むことを特徴とする制御方法。
【請求項１４】
システムユーザの操作に基づき、呼出信号および情報データを、表示手段を有する受信機に無線通信回線を介して送信する送信装置と、バーコード読取装置と、制御端末装置と、を備えたシステムを用いた制御方法であって、
前記送信装置が前記受信機に無線通信回線を介して呼出信号を送信するステップと、
前記送信装置が前記受信機に無線通信回線を介して情報データを送信するステップと、
前記バーコード読取装置が受信機の表示手段に表示された前記情報データに基づくバーコードを読み取るステップと、
前記制御端末装置が前記バーコード読取装置から出力された信号を受けるとき該時刻を認識すると共に履歴を記録するステップと、
前記制御端末装置が前記バーコード読取装置から受け取った信号に基づいて所定の制御信号を生成するステップと、
を含むことを特徴とする制御方法。
【請求項１５】
受信手段と表示手段とを少なくとも有する受信機と、システムユーザの操作に基づいて前記受信機を呼び出し情報データを送信する送信装置と、前記表示手段に表示されたバーコードを読取るためのバーコード読取装置と、該バーコード読取装置から出力された信号を受けて所定の制御信号を生成する制御端末装置と、を備えたシステムを用いた制御方法であって、
前記送信装置が無線通信回線を介して前記受信機を呼び出し情報データを送信するステップと、
前記受信機が受信手段により呼出信号を受信するステップと、
前記呼出信号に応じて前記受信機が受信手段により情報データを受信するステップと、
前記受信機が前記情報データをバーコード形式で表示手段に表示するステップと、
前記受信機の表示手段に表示されたバーコードをバーコード読取装置にて読み取るステップと、
前記制御端末装置が前記バーコード読取装置から出力された信号を受けて所定の制御信号を生成するステップと、
を含むことを特徴とする制御方法。
【請求項１６】
システムユーザの操作に基づき、呼出信号および情報データを、表示手段を有する受信機に送信する送信装置と、無線局と、バーコード読取装置と、制御端末装置と、を備えたシステムを用いた制御方法であって、
前記送信装置が前記受信機に呼出信号を送信するステップと、
前記送信装置が前記受信機に情報データを送信するステップと、
前記無線局が呼出信号に基づいて前記受信機を呼び出すステップと、
前記無線局が情報データを受信機に送出するステップと、
前記バーコード読取装置が受信機の表示手段に表示された前記情報データに基づくバーコードを読み取るステップと、
前記制御端末装置が前記バーコード読取装置から出力された信号を受けて所定の制御信号を生成するステップと、
を含むことを特徴とする制御方法。
【請求項１７】
システムユーザの操作に基づき、呼出信号および情報データを、表示手段を有する受信機に無線通信回線を介して送信する送信装置と、バーコード読取装置と、制御端末装置と、を備えたシステムを用いた制御方法であって、
前記送信装置が前記受信機に無線通信回線を介して呼出信号を送信するステップと、
前記送信装置が前記受信機に無線通信回線を介して情報データを送信するステップと、
前記無線局が呼出信号に基づいて前記受信機を呼び出すステップと、
前記無線局が情報データを受信機に送出するステップと、
前記バーコード読取装置が受信機の表示手段に表示された前記情報データに基づくバーコードを読み取るステップと、
前記制御端末装置が前記バーコード読取装置から出力された信号を受けて所定の制御信号を生成するステップと、
を含むことを特徴とする制御方法。
【請求項１８】
システムユーザの操作に基づき、呼出信号および情報データを、表示手段を有する受信機に無線通信回線を介して送信する送信装置と、バーコード読取装置と、制御端末装置と、を備えたシステムを用いた制御方法であって、
前記送信装置が前記受信機に無線通信回線を介して呼出信号を送信するステップと、
前記送信装置が前記受信機に無線通信回線を介して情報データを送信するステップと、
前記無線局が呼出信号に基づいて前記受信機を呼び出すステップと、
前記無線局が情報データを受信機に送出するステップと、
前記バーコード読取装置が受信機の表示手段に表示された前記情報データに基づくバーコードを読み取るステップと、
前記制御端末装置が前記バーコード読取装置から出力された信号を受けるとき該時刻を認識すると共に履歴を記録するステップと、
前記制御端末装置が前記バーコード読取装置から受け取った信号に基づいて所定の制御信号を生成するステップと、
を含むことを特徴とする制御方法。
【請求項１９】
受信手段と表示手段とを少なくとも有する受信機と、システムユーザの操作に基づいて前記受信機を呼び出し情報データを送信する送信装置と、前記表示手段に表示されたバーコードを読取るためのバーコード読取装置と、該バーコード読取装置から出力された信号を受けて所定の制御信号を生成する制御端末装置と、を備えたシステムを用いた制御方法であって、
前記送信装置が無線通信回線を介して前記受信機を呼び出し情報データを送信するステップと、
前記無線局が呼出信号に基づいて前記受信機を呼び出すステップと、
前記無線局が情報データを受信機に送出するステップと、
前記受信機が受信手段により呼出信号を受信するステップと、
前記呼出信号に応じて前記受信機が受信手段により情報データを受信するステップと、
前記受信機が前記情報データをバーコード形式で表示手段に表示するステップと、
前記受信機の表示手段に表示されたバーコードをバーコード読取装置にて読み取るステップと、
前記制御端末装置が前記バーコード読取装置から出力された信号を受けて所定の制御信号を生成するステップと、
を含むことを特徴とする制御方法。
【発明の詳細な説明】
【技術分野】
【０００１】
本発明は、呼出信号を受信したとき、この呼出信号とともに受信された情報を通常の表示形式、バーコード形式のうち指定された表示形式で表示する受信装置を用いた制御システム及び制御方法に関する。
【背景技術】
【０００２】
呼出信号を受信したときこの呼出信号とともに受信した情報を表示するページャの１つとして、図５に示す如く遠方監視システムの受信機として使用可能なものが開発されている。この遠方監視システム１０１は、呼出信号を受信したとき、この呼出信号とともに受信された情報データをデコードして表示する機能および出力端子１０２から出力する機能を有するページャ１０３と、入力端子１１１に入力されたシリアル信号をデコードして、制御対象となっている各センサ１０４などを制御する端末装置１０５と、中央部分にインタフェース用のバッファ器１０６を持ち、入力側ケーブル１０７のコネクタ１０８が前記ページャ１０３の出力端子１０２に接続され、出力側ケーブル１０９のコネクタ１１０が前記端末装置１０５の入力端子１１１に接続されるインタフェースケーブル１１２とによって構成されている。呼出信号が送信されてきたときページャ１０３によりこの呼出信号とともに送信されてきた情報データをデコードさせてシリアル信号を出力させるとともに、インタフェースケーブル１１２によってページャ１０３から出力されるシリアル信号をバッファリングさせながら、端末装置１０５によって前記シリアル信号を取り込ませてこれをデコードさせこのデコード結果に基づき各センサ１０４などを制御させ、収集されるデータの種類などを変更させる。
【発明の開示】
【発明が解決しようとする課題】
【０００３】
ところで、ページャ１０３を使用した従来の遠方監視システム１０１では、ページャ１０３を製造しているメーカー毎にページャ１０３から出力されるシリアル信号の出力フォーマット、通信プロトコル、伝送速度などが異なっていることから、ページャ１０３によって受信した情報データをデコードさせてコマンドなどを数値データに変換させ、これを端末装置１０５に供給する際使用するページャ１０３のメーカー毎に指定された種類のインタフェースケーブル１１２を用意しなければならず、その分だけシステムの構築コストが高くなってしまうという問題があった。そこで、このような問題を解決する方法として、ページャ１０３から出力されるシリアル信号の形式としてＲＳ−２３２Ｃ形式を使用したページャが開発されているが、このようなページャはその機種が少ないことから、システムを構築する際にページャの機種によってシステム全体の機能が限定されるという問題があった。また、従来のページャ１０３では、消費電力を低く抑えるためにシリアル信号の電圧、電流を低くしているので、インタフェースケーブル１１２に設けられたバッファ器１０６によってこれをバッファリングしてから端末装置１０５に入力しなければならないという問題があった。
【０００４】
本発明は上記の事情に鑑みてなされたものであり、消費電力を低く抑え、かつインタフェースケーブルなどを使用することなく、受信されてデコードされた情報を端末装置に入力することができるとともに、受信履歴などを記録することができる受信装置へのバーコード表示を用いた制御システム及び制御方法を提供することを目的としている。
【課題を解決するための手段】
【０００５】
上記目的を達成するために本発明に係る制御システムの請求項１の発明は、システムユーザの操作に基づき、呼出信号および情報データを、表示手段を有する受信機に送信するための送信装置と、前記受信機の表示手段に表示された前記情報データに基づくバーコードを読取るためのバーコード読取装置と、該バーコード読取装置から出力された信号を受けて所定の制御信号を生成する制御端末装置と、を備えたことを特徴とする。
【０００６】
また、本発明に係る制御システムの請求項２の発明は、システムユーザの操作に基づき、呼出信号および情報データを、表示手段を有する受信機に無線通信回線を介して送信するするための送信装置と、前記受信機の表示手段に表示された前記情報データに基づくバーコードを読取るためのバーコード読取装置と、該バーコード読取装置から出力された信号を受けて所定の制御信号を生成する制御端末装置と、を備えたことを特徴とする。
【０００７】
また、本発明に係る制御システムの請求項３の発明は、システムユーザの操作に基づいて送信装置から送信される呼出信号及び情報データを受信するための受信手段と、表示手段とを少なくとも有し、前記受信手段にて受信した情報データを前記表示手段にバーコード形式で表示する受信機と、前記表示手段に表示されたバーコードを読取るためのバーコード読取装置と、該バーコード読取装置から出力された信号を受けて所定の制御信号を生成する制御端末装置と、を備えたことを特徴とする。
【０００８】
また、本発明に係る制御システムの請求項４の発明は、システムユーザの操作に基づいて送信装置から送信される呼出信号及び情報データを受信するための受信手段と、表示手段とを少なくとも有する受信機であって、前記受信手段にて受信した情報データをバーコード形式で前記表示手段に表示する表示制御回路を備えた受信機と、前記表示手段に表示されたバーコードを読取るためのバーコード読取装置と、該バーコード読取装置から出力された信号を受けて所定の制御信号を生成する制御端末装置と、を備えたことを特徴とする。
【０００９】
また、本発明に係る制御システムの請求項５の発明は、システムユーザの操作に基づいて送信装置から送信される呼出信号及び情報データを受信するための受信手段と、表示手段とを少なくとも有する受信機であって、前記受信手段にて受信した情報データをデコードする受信デコード回路と、該受信デコード回路によってデコードされた情報をバーコード形式で前記表示手段に表示する表示制御回路とを備えた受信機と、前記表示手段に表示されたバーコードを読取るためのバーコード読取装置と、該バーコード読取装置から出力された信号を受けて所定の制御信号を生成する制御端末装置と、を備えたことを特徴とする。
【００１０】
また、本発明に係る制御システムの請求項６の発明は、システムユーザの操作に基づき、呼出信号および情報データを、表示手段を有する受信機に送信するための送信装置と、前記呼び出し信号と情報データを発信するための無線局と、前記受信機の表示手段に表示された前記情報データに基づくバーコードを読取るためのバーコード読取装置と、該バーコード読取装置から出力された信号を受けて所定の制御信号を生成する制御端末装置と、を備えたことを特徴とする。
【００１１】
また、本発明に係る制御システムの請求項７の発明は、システムユーザの操作に基づき、呼出信号および情報データを、表示手段を有する受信機に無線通信回線を介して送信するするための送信装置と、前記呼び出し信号と情報データを発信するための無線局と、前記受信機の表示手段に表示された前記情報データに基づくバーコードを読取るためのバーコード読取装置と、該バーコード読取装置から出力された信号を受けて所定の制御信号を生成する制御端末装置と、を備えたことを特徴とする。
【００１２】
また、本発明に係る制御システムの請求項８の発明は、システムユーザの操作に基づいて送信装置から送信される呼出信号及び情報データを受信するための受信手段と、表示手段とを少なくとも有し、前記受信手段にて受信した情報データを前記表示手段にバーコード形式で表示する受信機と、前記呼び出し信号と情報データを発信するための無線局と、前記表示手段に表示されたバーコードを読取るためのバーコード読取装置と、該バーコード読取装置から出力された信号を受けて所定の制御信号を生成する制御端末装置と、を備えたことを特徴とする。
【００１３】
また、本発明に係る制御システムの請求項９の発明は、システムユーザの操作に基づいて送信装置から送信される呼出信号及び情報データを受信するための受信手段と、表示手段とを少なくとも有する受信機であって、前記受信手段にて受信した情報データをバーコード形式で前記表示手段に表示する表示制御回路を備えた受信機と、前記呼び出し信号と情報データを発信するための無線局と、前記表示手段に表示されたバーコードを読取るためのバーコード読取装置と、該バーコード読取装置から出力された信号を受けて所定の制御信号を生成する制御端末装置と、を備えたことを特徴とする。
【００１４】
また、本発明に係る制御システムの請求項１０の発明は、システムユーザの操作に基づいて送信装置から送信される呼出信号及び情報データを受信するための受信手段と、表示手段とを少なくとも有する受信機であって、前記受信手段にて受信した情報データをデコードする受信デコード回路と、該受信デコード回路によってデコードされた情報をバーコード形式で前記表示手段に表示する表示制御回路とを備えた受信機と、前記呼び出し信号と情報データを発信するための無線局と、前記表示手段に表示されたバーコードを読取るためのバーコード読取装置と、該バーコード読取装置から出力された信号を受けて所定の制御信号を生成する制御端末装置と、を備えたことを特徴とする。
【００１５】
また、本発明に係る制御システムの請求項１１の発明は、請求項１乃至１０の何れかに記載の制御システムにおいて、前記送信装置は、電話回線網を介して呼び出し、前記情報データを前記受信機に送信するものであることを特徴とする。
【００１６】
また、本発明に係る制御方法の請求項１２の発明は、システムユーザの操作に基づき、呼出信号および情報データを、表示手段を有する受信機に送信する送信装置と、バーコード読取装置と、制御端末装置と、を備えたシステムを用いた制御方法であって、前記送信装置が前記受信機に呼出信号を送信するステップと、前記送信装置が前記受信機に情報データを送信するステップと、前記バーコード読取装置が受信機の表示手段に表示された前記情報データに基づくバーコードを読み取るステップと、前記制御端末装置が前記バーコード読取装置から出力された信号を受けて所定の制御信号を生成するステップと、を含むことを特徴とする。
【００１７】
また、本発明に係る制御方法の請求項１３の発明は、システムユーザの操作に基づき、呼出信号および情報データを、表示手段を有する受信機に無線通信回線を介して送信する送信装置と、バーコード読取装置と、制御端末装置と、を備えたシステムを用いた制御方法であって、前記送信装置が前記受信機に無線通信回線を介して呼出信号を送信するステップと、前記送信装置が前記受信機に無線通信回線を介して情報データを送信するステップと、前記バーコード読取装置が受信機の表示手段に表示された前記情報データに基づくバーコードを読み取るステップと、前記制御端末装置が前記バーコード読取装置から出力された信号を受けて所定の制御信号を生成するステップと、を含むことを特徴とする。
【００１８】
また、本発明に係る制御方法の請求項１４の発明は、システムユーザの操作に基づき、呼出信号および情報データを、表示手段を有する受信機に無線通信回線を介して送信する送信装置と、バーコード読取装置と、制御端末装置と、を備えたシステムを用いた制御方法であって、前記送信装置が前記受信機に無線通信回線を介して呼出信号を送信するステップと、前記送信装置が前記受信機に無線通信回線を介して情報データを送信するステップと、前記バーコード読取装置が受信機の表示手段に表示された前記情報データに基づくバーコードを読み取るステップと、前記制御端末装置が前記バーコード読取装置から出力された信号を受けるとき該時刻を認識すると共に履歴を記録するステップと、前記制御端末装置が前記バーコード読取装置から受け取った信号に基づいて所定の制御信号を生成するステップと、を含むことを特徴とする。
【００１９】
また、本発明に係る制御方法の請求項１５の発明は、受信手段と表示手段とを少なくとも有する受信機と、システムユーザの操作に基づいて前記受信機を呼び出し情報データを送信する送信装置と、前記表示手段に表示されたバーコードを読取るためのバーコード読取装置と、該バーコード読取装置から出力された信号を受けて所定の制御信号を生成する制御端末装置と、を備えたシステムを用いた制御方法であって、前記送信装置が無線通信回線を介して前記受信機を呼び出し情報データを送信するステップと、前記受信機が受信手段により呼出信号を受信するステップと、前記呼出信号に応じて前記受信機が受信手段により情報データを受信するステップと、前記受信機が前記情報データをバーコード形式で表示手段に表示するステップと、前記受信機の表示手段に表示されたバーコードをバーコード読取装置にて読み取るステップと、前記制御端末装置が前記バーコード読取装置から出力された信号を受けて所定の制御信号を生成するステップと、を含むことを特徴とする。
【００２０】
また、本発明に係る制御方法の請求項１６の発明は、システムユーザの操作に基づき、呼出信号および情報データを、表示手段を有する受信機に送信する送信装置と、無線局と、バーコード読取装置と、制御端末装置と、を備えたシステムを用いた制御方法であって、前記送信装置が前記受信機に呼出信号を送信するステップと、前記送信装置が前記受信機に情報データを送信するステップと、前記無線局が呼出信号に基づいて前記受信機を呼び出すステップと、前記無線局が情報データを受信機に送出するステップと、前記バーコード読取装置が受信機の表示手段に表示された前記情報データに基づくバーコードを読み取るステップと、前記制御端末装置が前記バーコード読取装置から出力された信号を受けて所定の制御信号を生成するステップと、を含むことを特徴とする。
【００２１】
また、本発明に係る制御方法の請求項１７の発明は、システムユーザの操作に基づき、呼出信号および情報データを、表示手段を有する受信機に無線通信回線を介して送信する送信装置と、バーコード読取装置と、制御端末装置と、を備えたシステムを用いた制御方法であって、前記送信装置が前記受信機に無線通信回線を介して呼出信号を送信するステップと、前記送信装置が前記受信機に無線通信回線を介して情報データを送信するステップと、前記無線局が呼出信号に基づいて前記受信機を呼び出すステップと、前記無線局が情報データを受信機に送出するステップと、前記バーコード読取装置が受信機の表示手段に表示された前記情報データに基づくバーコードを読み取るステップと、前記制御端末装置が前記バーコード読取装置から出力された信号を受けて所定の制御信号を生成するステップと、を含むことを特徴とする。
【００２２】
また、本発明に係る制御方法の請求項１８の発明は、システムユーザの操作に基づき、呼出信号および情報データを、表示手段を有する受信機に無線通信回線を介して送信する送信装置と、バーコード読取装置と、制御端末装置と、を備えたシステムを用いた制御方法であって、前記送信装置が前記受信機に無線通信回線を介して呼出信号を送信するステップと、前記送信装置が前記受信機に無線通信回線を介して情報データを送信するステップと、前記無線局が呼出信号に基づいて前記受信機を呼び出すステップと、前記無線局が情報データを受信機に送出するステップと、前記バーコード読取装置が受信機の表示手段に表示された前記情報データに基づくバーコードを読み取るステップと、前記制御端末装置が前記バーコード読取装置から出力された信号を受けるとき該時刻を認識すると共に履歴を記録するステップと、前記制御端末装置が前記バーコード読取装置から受け取った信号に基づいて所定の制御信号を生成するステップと、を含むことを特徴とする。
【００２３】
また、本発明に係る制御方法の請求項１９の発明は、受信手段と表示手段とを少なくとも有する受信機と、システムユーザの操作に基づいて前記受信機を呼び出し情報データを送信する送信装置と、前記表示手段に表示されたバーコードを読取るためのバーコード読取装置と、該バーコード読取装置から出力された信号を受けて所定の制御信号を生成する制御端末装置と、を備えたシステムを用いた制御方法であって、前記送信装置が無線通信回線を介して前記受信機を呼び出し情報データを送信するステップと、前記無線局が呼出信号に基づいて前記受信機を呼び出すステップと、前記無線局が情報データを受信機に送出するステップと、前記受信機が受信手段により呼出信号を受信するステップと、前記呼出信号に応じて前記受信機が受信手段により情報データを受信するステップと、前記受信機が前記情報データをバーコード形式で表示手段に表示するステップと、前記受信機の表示手段に表示されたバーコードをバーコード読取装置にて読み取るステップと、前記制御端末装置が前記バーコード読取装置から出力された信号を受けて所定の制御信号を生成するステップと、を含むことを特徴とする。
【発明の効果】
【００２５】
以下に説明するように、本発明によれば消費電力を低く抑え、かつインタフェースケーブルなどを使用することなく、受信されてデコードされた情報を端末装置に入力することができるとともに、受信履歴などを記録することができる。
【発明を実施するための最良の形態】
【００２６】
以下、本発明を図面に示した形態例に基づいて詳細に説明する。図１は本発明に係わるバーコード表示方法を適用する受信装置としてページャを用いた場合の一形態例を示す斜視図である。
この図に示すページャ１は、ユーザによって携帯自在な大きさに形成される筐体２と、この筐体２の側面に配置されユーザの操作内容に応じた指示信号を生成する情報データのバーコード／数字表示切替スイッチ３および時刻のバーコード／数字表示切替スイッチ４と、筐体２内に設けられ計時動作を行なって時刻データを生成する時計５と、筐体２内に設けられ呼出信号などを受信するアンテナ６と、筐体２内に設けられ情報データのバーコード／数字表示切替スイッチ３および時刻のバーコード／数字表示切替スイッチ４の指示信号に基づきアンテナ６によって受信された呼出信号、情報データをデコードする受信デコード回路７と、情報データのバーコード／数字表示切替スイッチ３および時刻のバーコード／数字表示切替スイッチ４の指示信号に基づき、前記受信デコーダ回路７から出力されるデコード結果を取り込んで、指定された表示形式（通常の数値表示データ、バーコード表示データなど）の表示データを生成する表示制御回路８と、筐体２に一面に配置され前記表示制御回路８から出力される表示データを取り込んで表示する表示器９とを備えている。
【００２７】
情報データのバーコード／数字表示切替スイッチ３または時刻のバーコード／数字表示切替スイッチ４が操作されて、通常の表示形式が選択されているときには、ページャ呼出無線局１３（図２参照）から呼出信号が送信されたときアンテナ６によってこれを受信し、受信デコーダ回路７によって前記呼出信号、情報データをデコードするとともに、表示制御回路８によってデコード結果を通常表示形式の表示データにし、表示器９上に数字列を表示する。また、情報データのバーコード／数字表示切替スイッチ３または時刻のバーコード／数字表示切替スイッチ４が操作されて、バーコード表示形式が選択されているときには、図２に示す如くシステムユーザ１１がプッシュホン式の公衆電話機１２を操作して、制御情報を入力し、ページャ呼出無線局１３から呼出信号が送信されたとき、アンテナ６によってこれを受信し、受信デコーダ回路７によって前記呼出信号、情報データをデコードするとともに、表示制御回路８によってデコード結果をバーコード表示形式の表示データにし、図３に示す如く表示器９上にバーコードを表示する。
【００２８】
このページャ１を遠方監視システムの受信機として使用するときには、図４に示す如くページャ１の情報データのバーコード／数字表示切替スイッチ３または時刻のバーコード／数字表示切替スイッチ４を操作してバーコード表示形式を選択した後、このページャ１をホルダ１４に固定する。
次いで、コード１５の終端が端末装置１６に接続されているバーコード読取器１７の読取面１８をページャ１の表示器９に対向させる。
これにより、ページャ１によって呼出信号が受信されてこの呼出信号とともに受信した情報データがデコードされ、表示器９上にバーコードが表示されたときにバーコード読取器１７によってこれが読み取られて、端末装置１６で各センサ２０などが制御され、収集されるデータの種類などが変更される。
【００２９】
この際、必要に応じて上述した情報データとともに、時計５によって得られた時刻データをバーコード表示形式で表示器９上に表示させて端末装置１６側に情報データの受信時刻などを認識させ、受信データ履歴などを記録させる。このようにこの形態例では、情報データのバーコード／数字表示切替スイッチ３や時刻のバーコード／数字表示切替スイッチ４を操作してバーコード表示形式を選択しておけば、ページャ呼出無線局１３から呼出信号が送信されたとき、ページャ１によってこれを受信して表示器９上に呼出信号とともに送信されてきた情報データをバーコード形式で表示するようにしているので、次に述べる効果を得ることができる。
【００３０】
まず、バーコードという一般的な表示規格で数値データを表示しているので、バーコード読取装置１７を使用するだけで、通信業者、ページャ１のメーカーを特定することなく、かつページャ１の形、大きさなどに関係無く、無接触でデータを読み出してセンサ２０などを制御することができる。
【００３１】
また、固有の周波数や特定の無線機を使用することなく、ページャ１を使用して遠方監視システム１９を構築することにより、ユーザ側で電波法上の免許を取る必要を無くしてユーザ側の負担を小さくすることができるとともに、特定の無線機を使用した遠方監視システムを構築するときの費用よりもかなり価格を低くすることができる。
【００３２】
また、バーコード読取装置１７や端末装置１６などによって構成されるユーザ側のシステムとページャ１とを無接触で接続しているので、ページャ１側の電気的な特性とシステム側の電気的な特性とが相互に干渉しないようにすることができる。
これにより、ページャ１側の消費電力を低く抑え、かつインタフェースケーブルなどを使用することなく受信されてデコードされた情報を端末装置１６に入力することができる。
【００３３】
また、システム側の制御記録が必要なときには、ページャ１に設けられている時計５を使用して表示器９上に時刻データを表示させて、端末装置１６側に受信履歴などを残すことができる。
【図面の簡単な説明】
【００３４】
【図１】本発明に係わるバーコード表示方法を適用する受信装置としてページャを用いた場合の一形態例を示す斜視図である。
【図２】図１に示すページャの呼出動作例を示すブロック図である。
【図３】図１に示すページャにバーコードを表示させたときの一例を示す斜視図である。
【図４】図１に示すページャを使用した遠方監視システムの詳細な構成例を示す斜視図である。
【図５】従来から知られているページャを使用した遠方監視システムの一例を示す斜視図である。
【符号の説明】
【００３５】
１  １…ページャ、２…筐体、３…情報データのバーコード／数字表示切替スイッチ、４…時刻のバーコード／数字表示切替スイッチ、５…時計、６…アンテナ、７…受信デコード回路、８…表示制御回路、９…表示器、１１…システムユーザ、１２…公衆電話機、１３…ページャ呼出無線局、１４…ホルダ、１５…コード、１６…端末装置、１７…バーコード読取器、１８…読取面
【図１】
0003685197.tif 000002
【図２】
0003685197.tif 000003
【図３】
0003685197.tif 000004
【図４】
0003685197.tif 000005
【図５】
0003685197.tif 000006